(57)【要約】【課題】鋼棒や鋼線等の円形断面を有するＰＣ鋼材全体を好適に防錆した状態で、ＰＣ鋼材の性能を落とすことなく防錆被覆ＰＣ鋼材の端部を定着体に定着させるための防錆被覆ＰＣ鋼材の端部定着方法の提供。【解決手段】円形断面を有するＰＣ鋼材１１の外周面を合成樹脂からなる防錆材１２をもって被覆した防錆被覆ＰＣ鋼材１０の端部を定着体１３に形成された挿通孔１４に挿通させた後、防錆被覆ＰＣ鋼材１０の端部を、テーパ筒を縦割りにした形状に形成され、内周面に周方向に沿って形成された防錆被覆ＰＣ鋼材１０の外周面に食い込む多数の係止用刃１６，１６…を有する定着楔１５，１５により挟み、定着楔１５，１５を防錆被覆ＰＣ鋼材１０を緊張させた状態で挿通孔１４に挿入することによって防錆被覆ＰＣ鋼材１０の端部を定着体１３に定着させる。【選択図】    図１
2005009086.tif 000002
【特許請求の範囲】
【請求項１】
円形断面を有するＰＣ鋼材の外周面を合成樹脂からなる防錆材をもって被覆した防錆被覆ＰＣ鋼材の端部を定着体に形成された挿通孔に挿通させた後、該防錆被覆ＰＣ鋼材の端部を、テーパ筒を縦割りにした形状に形成され、内周面に周方向に沿って形成された前記防錆被覆ＰＣ鋼材の外周面に食い込む多数の係止用刃を有する定着楔により挟み、該定着楔を前記防錆被覆ＰＣ鋼材を緊張させた状態で前記挿通孔に挿入することによって前記防錆被覆ＰＣ鋼材の端部を前記定着体に定着させることを特徴としてなる防錆被覆ＰＣ鋼材の端部定着方法。
【請求項２】
定着楔は、係止用刃が食い込むことにより剥離した防錆材が入り込む逃げ部を備えた請求項１に記載の防錆被覆ＰＣ鋼材の端部定着方法。
【発明の詳細な説明】
【０００１】
【発明の属する技術分野】
本発明は、ＰＣ鋼棒又はＰＣ鋼線等の円形断面を有するＰＣ鋼材の外面を防錆材で被覆した防錆被覆ＰＣ鋼材の端部定着方法に関する。
【０００２】
【従来の技術】
従来、ＰＣ鋼棒やＰＣ鋼線等の円形断面を有するＰＣ鋼材１の外周面を防錆材２により被覆した防錆被覆ＰＣ鋼材３を定着するには、図５に示すように、予めＰＣ鋼材１の端部にボルト状のネジ部４を設け、そのネジ部４を定着体５に形成された挿通孔６に通し、防錆被覆ＰＣ鋼材３を緊張させた状態でネジ部４にナット７を螺合させ、このナット７をコンクリート構造体８に支持された支圧板９に当接するまで締め込むことによって、防錆被覆ＰＣ鋼材３の端部を定着させるようになっている。
【０００３】
【発明が解決しようとする課題】
しかし、上述の如き従来の技術では、ＰＣ鋼材両端のネジ部に防錆被覆を施すことが困難であるため、防錆被覆はＰＣ鋼材の両端のネジ部を除いた部分のみに施されており、防錆被覆の施されていないネジ部から錆びが発生し易いという問題があった。
【０００４】
また、上述の如き防錆被覆ＰＣ鋼材では、ネジ部を設けることによって断面欠損が生じ、引張方向の耐力が低下するという問題があり、従来、このような防錆被覆ＰＣ鋼材を使用する場合には、その有効断面を実際の断面の９０％程度として設計が行われている。
【０００５】
本発明は、このような従来の技術の状況を鑑み、鋼棒や鋼線等の円形断面を有するＰＣ鋼材全体を好適に防錆した状態で、ＰＣ鋼材の性能を落とすことなく防錆被覆ＰＣ鋼材の端部を定着体に定着させるための防錆被覆ＰＣ鋼材の端部定着方法の提供を目的とする。
【０００６】
【課題を解決するための手段】
上述の如き従来の問題を解決し、所期の目的を達成するための請求項１に記載の防錆被覆ＰＣ鋼材の端部定着方法は、円形断面を有するＰＣ鋼材の外周面を合成樹脂からなる防錆材をもって被覆した防錆被覆ＰＣ鋼材の端部を定着体に形成された挿通孔に挿通させた後、該防錆被覆ＰＣ鋼材の端部を、テーパ筒を縦割りにした形状に形成され、内周面に周方向に沿って形成された前記防錆被覆ＰＣ鋼材の外周面に食い込む多数の係止用刃を有する定着楔により挟み、該定着楔を前記防錆被覆ＰＣ鋼材を緊張させた状態で前記挿通孔に挿入することによって前記防錆被覆ＰＣ鋼材の端部を前記定着体に定着させることを特徴とする。
【０００７】
このように構成することによって、鋼棒や鋼線等の円形断面を有するＰＣ鋼材の端部にまで防錆被覆を施すことができ、好適に錆の発生を防止できるとともに、ネジ部を設ける必要がないので、断面欠損を防止し、高い耐力を得ることができる。
【０００８】
請求項２に記載の発明は、請求項１の構成に加え、定着楔は、係止用刃が食い込むことにより剥離した防錆材が入り込む逃げ部を備えたことを特徴とする。
【０００９】
このように構成することによって、鋼棒や鋼線等の円形断面を有するＰＣ鋼材であっても楔により好適に保持することができ、ネジ部を設けずとも定着することができる。
【００１０】
【発明の実施の形態】
次に、本発明に係る防錆被覆ＰＣ鋼材の端部定着方法について説明する。尚、上述の実施例と同一の部分には同一符号を付して説明を省略する。
【００１１】
図１は、防錆被覆ＰＣ鋼材の端部定着状態を示し、図中符号１０は防錆被覆ＰＣ鋼材、８はコンクリート構造体、９はコンクリート構造体８に支持された支圧板である。
【００１２】
防錆被覆ＰＣ鋼材１０は、図２に示すように、鋼棒や鋼線等の円形断面を有するＰＣ鋼材１１の外周面に軸方向の全体に亘って、即ち両端部まで合成樹脂からなる防錆材１２が被覆されている。
【００１３】
この防錆被覆ＰＣ鋼材１０は、定着体１３に形成された挿通孔１４に挿通させた後、図示しないジャッキ等によってコンクリート構造体８に支持された支圧板９に反力をとって引張し、その状態で防錆被覆ＰＣ鋼材１０の端部を定着楔１５，１５により挟み、防錆被覆ＰＣ鋼材１０を把持した状態で定着楔１５，１５をテーパ状に形成された挿通孔１４に挿入させることによって、端部が定着体１３に定着されるようになっている。
【００１４】
定着楔１５は、テーパ筒を縦割りに２分割した形状に形成され、その内周面には、軸方向に間隔を隔てて係止用刃１６，１６…が形成されている。
【００１５】
係止用刃１６は、周方向に沿って形成され、その刃先は、ＰＣ鋼材１１の外周を被覆する防錆材１２を貫通するが、ＰＣ鋼材１１の外周面には軽く食い込む程度となるような鋭さとなっている。
【００１６】
また、この定着楔１５には、係止用刃１６が防錆被覆ＰＣ鋼材１０の外周に食い込むことによって剥離された防錆材１２が入り込む逃げ部を形成することができる。
【００１７】
逃げ部は、係止用刃１６，１６間に逃げ用溝１７，１７…を形成することにより形成されている。
【００１８】
このように逃げ部を設けることによって、係止用刃１６が食い込むことによってＰＣ鋼材１１の外周を被覆している防錆材１２が剥離すると、この剥離した防錆材１２は、逃げ部に入り込み好適にＰＣ鋼材１１の外周面より排除される。従って、防錆被覆を剥がさなくとも防錆被覆ＰＣ鋼材１０に対し定着楔１５の内周面が好適に係止される。
【００１９】
尚、上述の実施例では、係止用刃間に逃げ用溝を形成することにより定着楔１５に逃げ部を設けた例について説明したが、図３に示すように、定着楔１５に厚み方向で貫通したスリット孔２０を形成することによって逃げ部を構成してもよく、図４に示すように、係止刃１６，１６間に厚み方向で貫通した丸孔２１，２１…を形成することによって逃げ部を構成してもよい。また、定着楔には、必ずしも逃げ部を設けずともよい。
【００２０】
【発明の効果】
上述のように、本発明に係る防錆被覆ＰＣ鋼材の端部定着方法は、丸形断面を有するＰＣ鋼材の端部にまで防錆被覆を施した状態で防錆被覆ＰＣ鋼材の端部を定着することができ、耐久性が向上する。
【００２１】
また、ネジ部を設ける必要がないので断面欠損が生じず、耐力の低下を招くことなく実際の断面に拠って設計を行うことができる。
【図面の簡単な説明】
【図１】本発明による防錆被覆ＰＣ鋼材の端部定着状態を示す断面図である。
【図２】図１中の防錆被覆ＰＣ鋼材を示す断面図である。
【図３】（ａ）は定着楔の他の一例を示す正面図、（ｂ）は同平面図、（ｃ）は同縦断面図である。
【図４】（ａ）は定着楔の他の一例を示す正面図、（ｂ）は同平面図、（ｃ）は同縦断面図である。
【図５】従来の防錆被覆ＰＣ鋼材の端部定着状態を示す断面図である。
【符号の説明】
１０  防錆被覆ＰＣ鋼材
１１  ＰＣ鋼材
１２  防錆材
１３  定着体
１４  挿通孔
１５  定着楔
１６  係止用刃
１７  逃げ用溝
２０  スリット孔
２１  丸孔
【図１】
2005009086.tif 000003
【図２】
2005009086.tif 000004
【図３】
2005009086.tif 000005
【図４】
2005009086.tif 000006
【図５】
2005009086.tif 000007